(57)【特許請求の範囲】
【請求項１】
透析液を清浄化する濾過器を支持する人工透析装置の濾過器支持装置であって、
上記濾過器は、濾過材を収容し両端が閉じられた筒状のハウジングを備え、このハウジングに複数の液体流出入口が設けられ、
該濾過器のハウジングを支持する本体部を備え、この本体部に上記液体流出入口と接続する複数の接続部を設けた人工透析装置の濾過器支持装置において、
上記濾過器には、上記液体流出入口として上記ハウジングの長手方向一端側の外周面に筒状の第１流出入口が突出されるとともに、他端側の外周面に第１流出入口と同じ方向に向けて筒状の第２流出入口が突出され、さらに、上記他端側の端面にハウジングの長手方向に向けて筒状の第３流出入口が突出されており、
上記本体部には、複数の接続部として上記第１流出入口を差し込む第１差込口と上記第２流出入口を差し込む第２差込口が設けられるとともに、これら第１差込口と第２差込口に上記第１流出入口と第２流出入口を差し込んだハウジングの第３流出入口に対向させて、この第３流出入口を差し込む第３差込口を第３流出入口に向けて移動可能に設け、
上記第１流出入口と第２流出入口を第１差込口と第２差込口に差し込み、上記第３差込口を移動させて第３流出入口を差し込むことにより、濾過器を支持し、
上記第１差込口は上記濾過器に透析液を供給し、上記第２差込口は上記濾過器から濾過されない未濾過液を排出させ、上記第３差込口は上記濾過器から濾過された透析液を排出させることを特徴とする人工透析装置の濾過器支持装置。
【請求項２】
上記本体部に、上記第３流出入口を形成した他端側とは反対のハウジングの一端側の端面に当接する支持部を設け、
上記濾過器の第３流出入口を第３差込口に差し込んだ状態では、上記ハウジングの一端側の端面が支持部に当接して、これら第３差込口と支持部により濾過器を挟持することを特徴とする請求項１に記載の人工透析装置の濾過器支持装置。
【請求項３】
上記濾過器の筒状の第１流出入口と第２流出入口の少なくともいずれか一方の外周面に凹部または凸部が形成され、上記本体部の第１差込口および第２差込口の導入部には、上記凹部または凸部と係合する係合部が設けられ、
上記第１流出入口と第２流出入口を第１差込口と第２差込口に差し込んで、上記凹部または凸部に係合部を係合させるとともに、上記第３差込口に第３流出入口を差し込むことにより濾過器を支持することを特徴とする請求項１または請求項２に記載の人工透析装置の濾過器支持装置。
【請求項４】
上記本体部の第１差込口と第２差込口は、支持する濾過器のハウジングの長手方向に移動可能な取付部材に取り付けられ、上記第１流出入口と第２流出入口を差し込んだ濾過器の長手方向への移動を許容することを特徴とする請求項１ないし請求項３のいずれかに記載の人工透析装置の濾過器支持装置。
【請求項５】
上記本体部は、上記第１差込口を下方に位置させその上方に第２差込口が位置するように配置され、上記第３差込口は第２差込口の斜め上方に配置されていることを特徴とする請求項１ないし請求項４のいずれかに記載の人工透析装置の濾過器支持装置。
【発明の詳細な説明】
【技術分野】
【０００１】
本発明は人工透析装置の濾過器支持装置に関し、より詳しくは、透析液を濾過する濾過器を支持する本体部に、濾過器に設けられた液体流出入口との接続部を備えた人工透析装置の濾過器支持装置に関する。
【背景技術】
【０００２】
従来、人工透析装置においては、透析液からエンドトキシンを除去するために透析液回路の所要位置に濾過器を配置してあり、透析液を濾過器に透過させることにより、透析液を清浄化するようにしている。特に、透析液を血液回路に送って生理食塩液の代わりに使用するオンライン治療においては、透析液の十分な清浄化を確実に実現するために濾過器を二段で設けてあり、最初の濾過器と第２の濾過器に透析液を透過させることにより、該透析液を清浄化するようにしている。
このような濾過器は定期的に交換する必要があり、従来より濾過器を容易に着脱できる支持装置として、例えば特許文献１、特許文献２が提案されている。
【先行技術文献】
【特許文献】
【０００３】
【特許文献１】特許第３９２３８４５号公報
【特許文献２】特許第４１４４９３８号公報
【発明の概要】
【発明が解決しようとする課題】
【０００４】
ところで、特許文献１及び特許文献２の支持装置においては、濾過器の液体流出入口と支持装置の接続部との接続は、支持装置の各接続部をレバー操作で移動させて、各液体流出入口に押し付けて固定するようにしている。レバーは支持する濾過器の上下２カ所に対応させて設けてあり、濾過器を支持させる場合は、作業者が片方の手で濾過器を保持して液体流出入口と接続部とを位置合わせした状態で、もう片方の手でレバーを操作するようにしており、これを上下２カ所で行う必要がある。人工透析装置における濾過器の着脱作業は屈んだ状態で行うため、位置合わせ等の煩雑さを省いてできるだけ操作は容易である方が良く、また、いずれかのレバーの固定が不十分で不意に外れることがあると、液漏れや脱落のおそれもある。
【課題を解決するための手段】
【０００５】
上述した事情に鑑み、本発明は、透析液を清浄化する濾過器を支持する人工透析装置の濾過器支持装置であって、
上記濾過器は、濾過材を収容し両端が閉じられた筒状のハウジングを備え、このハウジングに複数の液体流出入口が設けられ、
該濾過器のハウジングを支持する本体部を備え、この本体部に上記液体流出入口と接続する複数の接続部を設けた人工透析装置の濾過器支持装置において、
上記濾過器には、上記液体流出入口として上記ハウジングの長手方向一端側の外周面に筒状の第１流出入口が突出されるとともに、他端側の外周面に第１流出入口と同じ方向に向けて筒状の第２流出入口が突出され、さらに、上記他端側の端面にハウジングの長手方向に向けて筒状の第３流出入口が突出されており、
上記本体部には、複数の接続部として上記第１流出入口を差し込む第１差込口と上記第２流出入口を差し込む第２差込口が設けられるとともに、これら第１差込口と第２差込口に上記第１流出入口と第２流出入口を差し込んだハウジングの第３流出入口に対向させて、この第３流出入口を差し込む第３差込口を第３流出入口に向けて移動可能に設け、
上記第１流出入口と第２流出入口を第１差込口と第２差込口に差し込み、上記第３差込口を移動させて第３流出入口を差し込むことにより、濾過器を支持し、
上記第１差込口は上記濾過器に透析液を供給し、上記第２差込口は上記濾過器から濾過されない未濾過液を排出させ、上記第３差込口は上記濾過器から濾過された透析液を排出させることを特徴とするものである。
【発明の効果】
【０００６】
上述した構成によれば、濾過器から突出する第１流出入口と第２流出入口を、それぞれ支持装置の第１差込口と第２差込口に差し込むことで、第３流出入口と第３差込口の位置が合った状態となり、この状態で第３差込口を移動させて第３流出入口を差し込むことで、濾過器を容易に支持させることができるとともに濾過器の各液体流出入口を支持装置の各接続部に確実に接続させることができる。
【図面の簡単な説明】
【０００７】
【図１】本発明の一実施例を示す断面図であり、図１（ａ）は濾過器を本体部に装着する前の状態を示し、図１（ｂ）は濾過器を本体部に装着した状態を示している。
【図２】図１の濾過器の第３流出入口を第３差込口と接続する過程を示す図であり、図２（ａ）はカバーを下す前の状態を示し、図２（ｂ）はカバーを下した状態を示し、図２（ｃ）はその後にカバーが開口部に向けて引き込まれて開口部と嵌合した状態を示している。
【図３】本発明の第２実施例を示す要部の斜視図であり、図３（ａ）は濾過器を本体部に装着する前の状態を示しており、図３（ｂ）は濾過器を本体部に装着した状態を示している。
【図４】図３（ｂ）の要部の水平断面図。
【発明を実施するための形態】
【０００８】
以下、図示実施例について本発明を説明すると、図１において１は濾過器２を支持する支持装置であり、この支持装置１は人工透析装置の本体外部に配置されている。
濾過器２は、長手方向の両端部が閉鎖された円筒状のハウジング５と、このハウジング５内に収容された濾過材としての中空糸膜６とから構成されており、本実施例においては、濾過器２の長手方向を鉛直方向に立てた状態で使用するようになっている。
ハウジング５には、液体流出入口として長手方向の一端側の外周面に円筒状の第１流出入口５Ａが突出させて形成されており、長手方向の他端側の外周面には第１流出入口５Ａと同じ向きで円筒状の第２流出入口５Ｂが突出させて形成されている。つまり、第１流出入口５Ａ及び第２流出入口５Ｂは、相互に平行となるように設けられている。さらに、ハウジング５の上記他端側の端面には、ハウジング５の長手方向に向けて突出する円筒状の第３流出入口５Ｃが形成されており、この第３流出入口５Ｃを形成した他端側と反対のハウジング５の一端側の端部は平坦な端面２Ａとして構成されている。第１流出入口５Ａ、第２流出入口５Ｂ及び第３流出入口５Ｃにおける外周部の所定箇所には環状溝５ａが形成されている。
本実施例においては、第１流出入口５Ａは透析液が流入する導入口としてあり、第２流出入口５Ｂは濾過せずに排液する未濾過液排液口としている。また、第３流出入口５Ｃは濾過済みの透析液を流出させる排出口としており、この第３流出入口５Ｃを上方に向けて支持するようになっている。
第１流出入口５Ａからハウジング５内に透析液が導入されると、中空糸膜６によって透析液が濾過されて透析液中のエンドトキシンが除去されるようになっており、中空糸膜６を透過した濾過済みの透析液は、第３流出入口５Ｃからハウジング５の外部へ排出されるようになっている。また、中空糸膜６の目詰まりを防止するために、第１流出入口５Ａから中空糸膜６の表面を洗い流すための液体を流入させ、濾過せずに第２流出入口５Ｂから外部へ排出させてフラッシングを行うことができるようになっている。
【０００９】
支持装置１は、内部が中空の柱状に形成された本体部７と、本体部７における前面の壁部７Ａと開放された背面部７Ｂの間に図示しない案内ガイドによって昇降可能に収容された取付部材としての昇降プレート８と、昇降プレート８の下端と上端に設けられた第１差込口１１と第２差込口１２と、本体部７の上部である張り出し部７Ｄの内方に昇降可能に設けられた昇降ブロック１３と、この昇降ブロック１３に設けられた第３差込口１４と、本体部７の張り出し部７Ｄに揺動可能に設けられて上記昇降ブロック１３を昇降させるカバー１５とを備えている。
本体部７は、複数の連結ねじによって図示しない人工透析装置に固定されている。本体部７の下部には支持部７Ｃが形成されており、この支持部７Ｃと対向するように本体部７の上部に張り出し部７Ｄが突き出して形成されている。支持部７Ｃの水平な上面の縁部には、円弧状のストッパ７Ｅが突設されており、上記ハウジング５の一端側の端面２Ａが支持部７Ｃの水平な上面に当接した状態において、ハウジング５の端部に係合し側方から支持するようになっている。
【００１０】
支持部７Ｃと張り出し部７Ｄとは前面の壁部７Ａによって接続されており、この壁部７Ａと背面の背面部７Ｂとの間の空間部に昇降プレート８が昇降可能に収容されている。
前面の壁部７Ａにおける上端と下端の位置に縦長の開口部７Ｊ、７Ｋがそれぞれ形成されている。下方側の開口部７Ｊに第１接続部としての第１差込口１１が設けられており、上方側の開口部７Ｋに第２接続部としての第２差込口１２が設けられている。さらに、上記昇降ブロック１３に第３接続部としての第３差込口１４が設けられて上記第２差込口１２の斜め上方に配置されている。
本実施例においては、各第１差込口１１、第２差込口１２及び第３差込口１４として同じ構成のものを用いている。そこで、第１差込口１１について説明すると、第１差込口１１は、第１流出入口５Ａを差し込むソケット１１Ａと、このソケット１１Ａを内側に進退動可能に保持した筒状のスリーブ１１Ｂから構成される。ソケット１１Ａはコイルばね１１Ｃにより付勢されて、通常は開口した先端部がスリーブ１１Ｂの縁から突出した状態にあり、ここからコイルばね１１Ｃの付勢力に抗して押し込むことができるようになっている。
ソケット１１Ａの開口近くには複数個のボール１１Ｄが遊嵌されており、ソケット１１Ａの先端部をスリーブ１１Ｂの前縁から突出させた状態では、ボール１１Ｄはソケット１１Ａの外面側への突出が許容されるが、ソケット１１Ａの先端部をスリーブ１１Ｂの内側に押し込んだ状態では、スリーブ１１Ｂの内面に押されてソケット１１Ａの内面側に突出されるようになっている。また、ソケット１１Ａの開口側とは反対の末端部には、内側に環状のシール部材１１Ｅが設けれるとともに、外側には液回路を構成する導管１７との結合部１１Ｆが形成されている。
このような第１差込口１１の構成は、第２差込口１２や第３差込口１４も共通しており、それぞれにソケット１２Ａ、１４Ａ、スリーブ１２Ｂ、１４Ｂ、コイルばね１２Ｃ、１４Ｃ、ボール１２Ｄ、１４Ｄ、シール部材１２Ｅ、１４Ｅ、結合部１２Ｆ、１４Ｆを備えている。
【００１１】
これら第１から第３の接続部において、第１差込口１１はスリーブ１１Ｂが本体部７の前面の壁部７Ａに形成した開口部７Ｊに縦方向に摺動可能に嵌め込まれており、第２差込口１２はスリーブ１２Ｂが開口部７Ｋに縦方向に摺動可能に嵌め込まれている。そして、このような第１差込口１１、第２差込口１２を取り付けた昇降プレート８について説明する。昇降プレート８は縦長の短冊状に形成されており、この昇降プレート８の下端に第１差込口１１のスリーブ１１Ｂが固定されており、昇降プレート８の上端に第２差込口１２のスリーブ１２Ｂが固定され、これによって第１差込口１１と第２差込口１２は一体的に移動可能になっている。
第１差込口１１と第２差込口１２の取り付け間隔は、上記濾過器２の第１流出入口５Ａと第２流出入口５Ｂの間隔に対応させている。
昇降プレート８は、本体部７内の下方側に配置された圧縮ばね２２によって常時上方に向けて付勢されている。そのため、図１（ａ）に示した濾過器２が本体部７に装着される前の状態では、昇降プレート８は上昇端に停止している。この状態では、第１差込口１１のスリーブ１１Ｂは開口部７Ｊの上部内面に当接しており、第２差込口１２のスリーブ１２Ｂは開口部７Ｋの上部内面に当接している。
【００１２】
次に、昇降ブロック１３とそれを昇降させるカバー１５について説明する。張り出し部７Ｄの内方に、鉛直方向の４本の昇降ガイド７Ｆが形成されており、これら４本の昇降ガイド７Ｆに昇降ブロック１３が昇降可能に取り付けられている。張り出し部７Ｄの前面は開放された開口部７Ｇとなっており、張り出し部７Ｄの底面には開口部７Ｇから連続する半円形の開口７Ｈが形成されている。
昇降ブロック１３は第３差込口１４のスリーブ１４Ｂからなり、第３差込口１４は開口７Ｈの上方において昇降ガイド７Ｆに案内されて昇降されるようになっている。
第３差込口１４は開口７Ｈを介して常時下方へ向けて露出した状態となっている。そして、図１（ａ）に示すように、濾過器２が本体部７に装着される前の状態では、カバー１５は上方側の開放位置に位置しており、この状態では開口部７Ｇを介して第３差込口１４は前面側にも露出した状態となっている。
張り出し部７Ｄの天面は、背面側よりも前面となる開口部７Ｇが徐々に高さが低くなる断面円弧状に形成されており、正面となる開口部７Ｇはカバー１５によって閉鎖できるようになっている。張り出し部７Ｄの左右の側壁には、相互に対向させて一対の長孔７Ｌが穿設されており、それら一対の長孔７Ｌ内にカバー１５の支持軸２３の端部が挿通されている。
カバー１５は、張り出し部７Ｄの天面と左右の側壁を覆うようにアーチ状に形成されており、カバー１５の左右の側壁の下部にわたって上記支持軸２３が取り付けられている。支持軸２３の左右の端部の隣接箇所は、上記左右一対の長孔７Ｌに挿通させてあるので、支持軸２３を回転中心としてカバー１５は張り出し部７Ｄの天面と左右の側壁に沿って揺動できるようになっている。
左右の長孔７Ｌは水平方向に延びており、支持軸２３と本体部７とにわたっては引っ張りばね２４が取り付けられている。この引っ張りばね２４によって支持軸２３及びカバー１５全体が本体部７の背面側に向けて常時引っ張られている。そのため、カバー１５は、図１（ａ）に示した張り出し部７Ｄの天面上に停止した開放位置と、図１（ｂ）に示した張り出し部７Ｄの開口部７Ｇに嵌まり込んで停止した閉鎖位置とに移動されるようになっている。カバー１５における前面側の上部は盛り上がった突起部１５Ａとなっており、この突起部１５Ａを作業者が指でつまんでカバー１５を揺動させるようになっている。カバー１５が開放位置と閉鎖位置とに揺動されるのに連動して、昇降ブロック１３（第３差込口１４）が上下に移動するようになっている。
【００１３】
図２に示すように、張り出し部７Ｄの左右の側壁の対向位置には、一対の縦長の開口部７Ｍが形成されており、上記カバー１５の左右の側壁には内方側へ延びる一対のピン１５Ｂが取り付けられている。そして、これら一対のピン１５Ｂはその隣接位置となる開口部７Ｍを貫通してから昇降ブロック１３の長孔１３Ａ内に挿入されている（図２（ａ）参照）。そのため、カバー１５が支持軸２３を回転中心として開放位置と閉鎖位置とに揺動されると、カバー１５のピン１５Ｂを介して昇降ブロック１３（第３差込口１４）が昇降ガイド７Ｆに沿って昇降されるようになっている。
カバー１５が上昇端となる開放位置に停止している状態では、張り出し部７Ｄの開口部７Ｇは開放されるとともに昇降ブロック１３（第３差込口１４）は上昇位置に位置している。
この状態において、濾過器２を本体部７に装着するようになっており、その際に濾過器２の最上端となる第３流出入口５Ｃが開口部７Ｇと左右の昇降ガイド７Ｆ、７Ｆの間を通過して開口７Ｈ内に挿入されるとともに、第３差込口１４の直下位置に位置するようになっている（図２（ａ）参照）。その後、作業者が突起部１５Ａを指でつまんでカバー１５を揺動させて閉鎖位置まで引き下げると、引っ張りばね２４によって引っ張られているカバー１５は、開口部７Ｇを閉鎖すると同時に該開口部７Ｇにカバー１５の天面が嵌まり込むようになっている（図２（ｂ）、図２（ｃ）参照）。また、カバー１５が引き下げられるのと連動して第３差込口１４が下方の第３流出入口５Ｃに向けて移動されるので、第３差込口１４に対して濾過器２の第３流出入口５Ｃを差し込むことできるようになっている。カバー１５の天面が開口部７Ｇに嵌まり込んだ状態では、引っ張りばね２４によってその状態が維持されるので、その状態では第３差込口１４に第３流出入口５Ｃを差し込んだ状態に維持されるようになっている。
【００１４】
以上の構成において、本実施例の支持装置１に対する濾過器２の装着は次のようにして行う。
まず、本体部７内の昇降プレート８に取り付けられた第１差込口１１、第２差込口１２は、圧縮ばね２２の付勢力により上昇位置にあり、各々のスリーブ１１Ｂ、１２Ｂはそれぞれ開口部７Ｊ、７Ｋの上部内面に当接している。カバー１５は開放されており、第３差込口１４は上昇位置にある。
この状態において、作業者は片方の手で第１流出入口５Ａ、第２流出入口５Ｂを前方に第３流出入口５Ｃを上方に向けて濾過器２のハウジング５を把持し、第１流出入口５Ａを第１差込口１１に第２流出人口５Ｂを第２差込口１２にそれぞれ差し込むとともに、第３流出入口５Ｃを張り出し部７Ｄの前面の開口部７Ｇから張り出し部７Ｄの内部に進入させる。この状態においては、第１差込口１１のソケット１１Ａのボール１１Ｄが、筒状の第１流出入口５Ａの外周部に形成した環状溝５ａに嵌り込み、また、第２差込口１２のソケット１２Ａのボール１２Ｄが、筒状の第２流出入口５Ｂの外周部に形成した環状溝５ａに嵌まり込むことにより、ソケット１１Ａ、１２Ａのそれぞれにおいてボール１１Ｄ、１２Ｄがソケット１１Ａ、１２Ａの外周面から後退し、ソケット１１Ａ、１２Ａはコイルばね１１Ｃ、１２Ｃの付勢力に抗してスリーブ１１Ｂ、１２Ｂ内から背面部７Ｂに向けて押し出される。ソケット１１Ａ、１２Ａの内部では、第１流出入口５Ａ、第２流出入口５Ｂの先端がシール部材１１Ｅ、１２Ｅに密着して液密を維持する。また、第３流出入口５Ｃは第３差込口１４の下方に位置合わせされた状態となる。
その後、作業者は片手でこの状態を維持したまま、もう一方の手で突起部１５Ａをつまんでカバー１５を揺動させて閉鎖位置に位置させる。これに連動して、昇降ブロック１３（第３差込口１４)が下方の第３流出入口５Ｃに向けて移動し、ソケット１４Ａのボール１４Ｄが第３流出入口５Ｃの外周部に形成した環状溝５ａに嵌り込むことで、コイルばね１４Ｃの付勢力に抗してスリーブ１４Ｂがさらに下降され、ソケット１４Ａは相対的にスリーブ１４Ｂ内から上方へ押し出される。ソケット１４Ａの内部では、第３流出入口５Ｃの先端がシール部材１４Ｅに密着して液密を維持する。これにより、第３差込口１４に第３流出入口５Ｃを差し込んだ状態となる。
このように第３差込口１４に第３流出入口５Ｃを差し込む際には、濾過器２は第１流出入口５Ａが第１差込口１１に第２流出入口５Ｂが第２差込口１２に差し込まれた状態のまま下方へ押し下げられるが、第１差込口１１と第２差込口１２は、そのスリーブ１１Ｂ、１２Ｂが圧縮ばね２２により上方に付勢された昇降プレート８に取り付けられているとともに、本体部７前面の壁部７Ａに形成した縦長の開口部７Ｊ、７Ｋの上部内面に当接した状態にあるため、濾過器２の下方への移動に伴って一体的に下降できるようになっている。
このように、昇降ブロック１３を下降させてカバー１５を張り出し部７Ｄの開口部７Ｇに嵌合させて閉鎖状態として、第３流出入口５Ｃを第３差込口１４に差し込んだ状態では、濾過器２は下方へ押し下げられて張り出し部７Ｄと対向させて形成した本体部７の支持部７Ｃの上面に、第３流出入口５Ｃを形成した他端側とは反対の一端側の端面２Ａが当接し、これら第３差込口１４と支持部７Ｃにより濾過器２が挟持された状態となり、支持部７Ｃに設けたストッパ７Ｅにも当接して確実に支持される。
【００１５】
本実施例の支持装置１によれば、図１（ｂ）に示した濾過器２を本体部７に装着した状態においては、濾過器２を横方向に引き抜くような動作をしない限り濾過器２が本体部７から抜けることはない。そのため、装着完了後に濾過器２と本体部７に多少の衝撃が加わった場合であっても、各第１〜３差込口１１，１２，１４による各接続部から液が漏れることはない。しかも、濾過器２を本体部７に装着する際には、作業者は濾過器２を片手で持って本体部７に横方向から押し込んで、カバー１５を下げることで容易に装着することができる。そのため、従来と比較して、着脱作業が容易であって、濾過器２の各第１〜３流出入口５Ａ、５Ｂ、５Ｃを本体部７の各接続部である各第１〜３差込口１１，１２、１４に確実に接続させることができる。
なお、支持装置１の本体部７に支持された濾過器２を取り外す場合は、前述した装着時とは逆の手順で行えばよい。つまり、先ず、作業者は片方の手で濾過器２のハウジング５を把持した状態で、もう片方の手でカバー１５を上方へ揺動させて開放位置に位置させる。これにより、第３流出入口５Ｃが第３差込口１４から抜き出される。この際、本体部７内に設けた圧縮ばね２２の上方への付勢により昇降プレート８が上方へ移動し、第１差込口１１、第２差込口１２を介して濾過器２も上方へ移動する。これに伴って濾過器２の第３流出入口５Ｃを形成した他端側とは反対の一端側の端部が、本体部７の支持部７Ｃの水平な上面に突設させたストッパ７Ｅから外れ、これにより各第１差込口１１、第２差込口１２のスリーブ１１Ｂ、１２Ｂの内部に設けたコイルばね１１Ｃ、１２Ｃの付勢力によって、ソケット１１Ａ、１２Ａが押し出されて濾過器２を抜き出すことができるようになっている。
【００１６】
次に、図３ないし図４は、支持装置１の本体部７における前面の壁面７Ａに設けた接続部についての第２実施例を示したものであり、この第２実施例の接続部は、濾過器２の第１流出入口５Ａおよび第２流出入口５Ｂを差し込む、第１差込口および第２差込口に採用することができる。図３ないし図４は、濾過器２の第１流出入口５Ａを差し込む第１差込口１６を示しており、第２流出入口５Ｂを差し込む第２差込口についてもこれと同じ構成を有することがきる。
この第２実施例の第１差込口１６は、ソケット１６Ａと、その内部に設けた環状のシール部材１６Ｂと、導管１７との結合部１６Ｃから構成され、ソケット１６Ａは本体部７の内部に設けた案内ガイド２１に支持されて、濾過器２のハウジング５の長手方向にスライド移動可能となっている。本体部７の内部に配置した第１差込口１６に対応させて、前面の壁部７Ａには導入部７Ｎが形成されている。この導入部７Ｎは、筒状の第１流出入口５Ａを挿入可能な円形の挿入孔７Ｎａと、この挿入孔７Ｎａから本体部７の支持部７Ｃが位置する下方に連続して形成され、第１流出入口５Ａの外周部に設けた環状溝５ａと係合可能な矩形の係合孔７Ｎｂからなる鍵穴形となっている。すなわち、係合孔７Ｎｂの開口幅は環状溝５ａの底部の直径よりも若干大きく、環状溝５ａを除く第１流出入口５Ａ外周部分の直径よりも小さくなっており、第１流出入口５Ａを挿入孔７Ｎａに挿入した後、環状溝５ａに係合孔７Ｎｂの縁部を差し入れて第１流出人口５Ａを挿人孔７Ｎａから係合孔７Ｎｂ側に移動させることにより、導入部７Ｎから第１流出入口５Ａを抜き出すことができなくなるロック手段として作用する。この場合、係合孔７Ｎｂの縁部が凹部である環状溝５ａと係合する係合部となる。
このような第２実施例の接続部を本体部７に採用した場合には、先に説明した第１実施例の場合と同様に、片方の手で濾過器２を把持して第３流出入口５Ｃを上方に向けた状態で、第１流出入口５Ａ、第２流出入口５Ｂを前面の壁部７Ａに設けた接続部に向ける。すなわち、図４（ａ）に示すように第１流出入口５Ａを導入部７Ｎに対向させて、この状態から挿入孔７Ｎａに第１流出入口５Ａを挿入する。この状態では、図４に示すように第１流出入口５Ａが、第１差込口１６のソケット１６Ａに差し込まれて第１流出人口５Ａの先端が環状のシール部材１６Ｂに密着している。
この状態から、第１流出入口５Ａの環状溝５ａを係合孔７Ｎｂに位置させ、濾過器２を支持部７Ｃの方へ移動させて係合孔７Ｎｂの縁部を環状溝５ａに差し入れて係合させる。このときソケット１６Ａは案内ガイド２１によりスライド可能となっており、第１流出入口５Ａの移動に伴って移動する。この状態では、濾過器２の第３流出入口５Ｃを形成した端部とは反対の端面２Ａが、本体部７の支持部７Ｃの上面に当接した状態となり、端面２Ａを備えた端部の側面がストッパ７Ｅに当接している、
この状態においては、濾過器２の第３流出入口５Ｃと本体部７の第３差込口１４の位置が合った状態となっているので、第１実施例と同様にカバー１５を閉鎖状態とすることで、第３差込口１４に第３流出入口５Ｃを差し込むことができる。このような第２実施例であっても上記第１実施例と同様の作用・効果を得ることができる。なお、第１流出入口５Ａの外周面に凹部として環状溝５ａを形成した場合について説明したが、外周面に凸部を形成し、係合孔７Ｎｂの縁部にこの凸部と係合する凹部を係合部として設けるようにしてもよい。また、このような導入部７Ｎの構成は、本体部７の第１差込口と第２差込口の何れか一方もしくは両方に設けることができる。
なお、上述した実施例は、支持装置１の本体部７を鉛直方向に立てた状態において濾過器２を装着するようにしているが、本体部７を横倒しの水平状態として、それに対して濾過器２を水平に装着するようにしても良い。
また、上述した実施例では濾過材として中空糸膜６を収容した濾過器２を用いているが、中空糸膜以外の濾過材を用いた濾過器にも本発明を適用することができる。
【符号の説明】
【００１７】
１‥支持装置                          ２‥濾過器
５‥ハウジング                      ５Ａ‥第１流出入口
５Ｂ‥第２流出入口                    ５Ｃ‥第３流出入口
７‥本体部                          １１‥第１差込口
１２‥第２差込口                      １４‥第３差込口
【図１】
0006376455.tif 000002
【図２】
0006376455.tif 000003
【図３】
0006376455.tif 000004
【図４】
0006376455.tif 000005